(57)【要約】【課題】録画された映像を再生鑑賞すると、必要としないコマーシャル映像部分が多々映し出され鑑賞ムードを壊している。この必要としないコマーシャル映像部分を除くには、早送りするかチャプターで飛び越える操作を行うが、取りこぼしのない映像を見るにはチャプター操作、巻き戻し操作、早送り操作を繰り返すこととなる。この行為を映像鑑賞中に再三行うことは、ストレスを与え鑑賞ムードを壊し、鑑賞時間の無駄にもつながる。【解決手段】録画された映像を解析して、必要としないコマーシャル映像部分を除くための判断基準を設け、それに基づき必要としないコマーシャル映像部分を除き、再生出力する機能を設けることである。【特許請求の範囲】
【請求項１】
放映される映像を録画し、必要としないコマーシャル映像部分を自動的に除き再生する機能を設けたことを特徴とするＤＶＤＰＣレコーダー装置（ＤＶＤ  Ｐｅｒｓｏｎａｌ  Ｃｏｍｐｕｔｅｒ  Ｒｅｃｏｒｄｅｒ）。
【請求項２】
前記装置は、ＤＶＤレコーダーの機能に新たに録画された映像の解析、必要としないコマーシャル映像部分を除くための情報入力、解析結果から必要としないコマーシャル映像部分の削除、再生出力する機能を加えている。
再生する映像を解析し、必要としないコマーシャル映像部分を正確に除くために三つの方法で判断する。▲１▼解析した範囲内に登録保存されていない同一映像が再度見られるか判断し一致する部分を認めると、双方の部分を除くと同時に自動的に登録保存する方法。▲２▼解析した範囲内に事前に登録保存したコマーシャル映像部分（ａ．前記の方法で登録保存された除きたい映像。ｂ．インターネットで配信されてくる除きたいコマーシャル映像部分。ｃ．ＵＳＢメモリーやディスク等から入力した除きたいコマーシャル映像部分。ｄ．再生映像を見ながら除きたいコマーシャル映像部分を用手で範囲指定し登録保存した映像）と一致する部分を除く方法。▲３▼事前に登録保存したコマーシャル映像部分の特徴となる一部分（固有名詞・名称等）と一致すると、その前後の一定範囲を除く方法。
何れかの方法で一致、または他の方法でも一致すると、必要としない部分と判断を下し自動的に除き再生する。また、再生と同時にコマーシャル映像部分を取り除いた映像を録画保存することができる。
登録保存された必要としないコマーシャル映像部分は、長期保存されるが一定の条件を満たすと自動的に削除、また任意に削除、延長保存する機能を設けたことを特徴とする請求項１記載のＤＶＤＰＣレコーダー装置（ＤＶＤ  Ｐｅｒｓｏｎａｌ  Ｃｏｍｐｕｔｅｒ  Ｒｅｃｏｒｄｅｒ）。
【発明の詳細な説明】
【技術分野】
【０００１】  この発明は、録画映像中の必要としないコマーシャル映像部分を自動的に除き再生する機能に関する。
【背景技術】
【０００２】  従来のＤＶＤレコーダーで録画された映像を再生する場合、必要としないコマーシャル映像部分は、用手で早送りするかチャプター番号に従って用手で飛び越える操作を繰り返す方法が設けられたものである。
【発明の開示】
【発明が解決しようとする課題】
【０００３】  しかしながら、以上の技術によれば、早送りする操作ボタンを押し続けたり、行き過ぎて巻き戻しボタンを押す必要がある。また、チャプター機能は決められた間隔で飛び越えるため、必要とする映像が削られたり必要としないコマーシャル映像部分が残ったりする。従って、最良の映像を見るにはチャプター操作、巻き戻し操作、早送り操作を繰り返し必要としないコマーシャル映像部分を除くことになる。これらの操作を映像鑑賞中に行うことは落ち着きをなくしストレスになるし、かといって必要としないコマーシャル映像部分が再三出てくると鑑賞ムードを壊し、鑑賞時間の無駄にもつながる。
そこで、この発明は、再生時に必要としないコマーシャル映像部分を自動的に除き再生する機能を設けたＤＶＤＰＣレコーダー装置を提供することを課題とする。
【課題を解決するための手段】
【０００４】  以上の課題を解決するために、第一発明は録画された映像から必要としないコマーシャル映像部分を自動的に除き、再生する機能を設けたことを特徴とするＤＶＤＰＣレコーダー装置である。
また、第二発明は、ＤＶＤレコーダーの機能に加え、録画された映像の解析、必要としないコマーシャル映像部分を除くための情報の入力、解析結果から必要としないコマーシャル映像部分の削除、再生出力する機能をもっている。
再生する映像を解析し、必要としないコマーシャル映像部分を正確に除くために三つの方法で判断する。▲１▼解析した範囲内に同一映像部分が再度見られるか判断し、一致する部分を認めると双方の一致した映像部分を除き、同時に自動的に登録保存する方法。▲２▼解析した範囲内に事前に登録保存したコマーシャル映像部分（ａ．前記の方法で登録保存された除きたい映像部分。ｂ．インターネットで配信されてくる除きたいコマーシャル映像部分。ｃ．ＵＳＢメモリーやディスクから入力した除きたいコマーシャル映像部分。ｄ．再生映像を見ながら除きたいコマーシャル映像部分を用手で範囲指定し登録保存した映像）と一致する部分を除く方法。▲３▼事前に登録保存したコマーシャル映像部分の特徴となる部分（固有名詞・名称等）と一致すると、その前後の一定範囲を除く方法である。
何れかの方法で一致、または他の方法でも一致すると、必要としないコマーシャル映像部分と判断し自動的に除き再生する。また、再生と同時にコマーシャル映像部分を取り除いた映像を録画保存することができる。
登録保存された必要としないコマーシャル映像部分は長期保存されるが、一定の条件を満たすと自動的に削除、また任意に削除、延長保存する機能を設けたことを特徴とするＤＶＤＰＣレコーダー装置である。
【発明の効果】
【０００５】  第一発明、または第二発明によれば、録画再生する映像は解析される。必要としないコマーシャル映像部分を選び出すための入力情報と照合され、三つの方法の組み合わせによる自動的に判断され正確に除かれ再生される。
【発明を実施するための最良の形態】
【０００６】  この発明の一実施形態を示す。
一般に使用されているＤＶＤレコーダーで録画された映像を再生し、必要としないコマーシャル映像部分を認めると、用手で早送りするか、またはチャプター番号に従って用手で飛び越える操作を繰り返す方法が用いられている。
今回、発明したＤＶＤＰＣレコーダー装置は、録画された映像を解析する機能、必要としないコマーシャル映像部分を除くための情報を入力保管する機能、解析結果を三つの判断基準に基づきコマーシャル映像部分を除く機能、再生出力する機能等を備えている。
録画された映像を再生する場合、最初に無修正再生か、修正再生かを指示する。修正再生を指示すると録画映像が解析される。次に解析結果を必要としないコマーシャル映像部分を除くための三つの判断基準に照らし合わせる。すなわち、▲１▼解析した範囲内に同一映像部分が、再三認められると双方の映像部分を除くと同時に自動的に登録保存され、以後の参照映像になる。▲２▼解析した範囲内に事前に登録保存されているコマーシャル映像部分（ａ．前記の方法で登録保存された除きたいコマーシャル映像部分。ｂ．インターネットで配信されてくる除きたいコマーシャル映像部分。ｃ．ＵＳＢメモリーやディスクから入力した除きたいコマーシャル映像部分。ｄ．無修正の再生映像を見ながら除きたいコマーシャル映像部分を用手で範囲指定し登録保存した映像）と一致する部分を認めると除く。▲３▼事前に登録保存したコマーシャル映像部分の特徴となる部分（固有名詞・名称等）の一致を認めると、その前後の一定範囲を除くものである。
何れかの方法で一致、または他の方法でも一致したものは、必要としないコマーシャル映像部分と判断し自動的に除き再生されるが、再生と同時にコマーシャル映像部分を取り除いた映像を録画保存することもできる。
登録保存された必要としないコマーシャル映像部分は、長期保存されるが一定の条件を満たすと自動的に削除されたり、任意に削除、延長する機能が設けられている。【０００７】「実施形態の効果」
この実施形態によれば、録画された映像は必要に応じて解析される。そして必要としないコマーシャル映像部分を除くための三つの判断基凖に基づき、コマーシャル映像部分が除かれ再生出力される。このことにより、鑑賞ムードを壊すことなく鑑賞時間も無駄なく使うことができる。【０００８】「他の実施形態」
実施形態では、必要としないコマーシャル映像部分を自動的に除き再生する機能をレコーダーに設けたものであるが、他の実施形態では、パソコン（Ｐｅｒｓｏｎａｌ  Ｃｏｍｐｕｔｅｒ）にＤＶＤレコーダー機能、第一、二発明の機能を組み入れ、必要としないコマーシャル映像部分を自動的に除き再生する装置であっても良い。